(57)【特許請求の範囲】
【請求項１】
相手先装置との間で、ＩＴＵ−Ｔ勧告Ｖ．８に規定される手順を実行し、上記手順に基づいて、上記相手先装置との間で実行可能な画伝送モードを設定するファクシミリ通信装置において、
ＡＮＳａｍ信号を受信するＡＮＳａｍ信号受信手段と；
ＣＭ信号を送信するＣＭ信号送信手段と；
上記ＡＮＳａｍ信号を受信した後に、Ｖ．３４通信を指定するＣＭ信号を送信し、相手受信機から上記Ｖ．３４通信が不可であるＪＭ信号を受信すると、ＣＪ信号を送信し、相手受信機からＶ．２１のＤＩＳ信号を受信したときに、以後、上記Ｖ．２１のプロトコルを実行し、上記ＡＮＳａｍ信号を受信した後に、Ｖ．３４通信を指定するＣＭ信号を送信し、上記相手受信機から、Ｖ．８受信機能有を示す上記Ｖ．２１のＤＩＳ信号を最初に受信したときに、ＣＩ信号を送信し、その後、上記ＡＮＳａｍ信号を受信した後に、Ｖ．３４通信を指定するＣＭ信号を送信し、上記相手受信機から、Ｖ．８受信機能有を示す上記Ｖ．２１のＤＩＳ信号を次回受信したときに、Ｖ．８受信機能有りであっても、ＣＩ信号の送信へ移行しないで、以後、上記Ｖ．２１のプロトコルを実行する制御手段と；
を有することを特徴とするファクシミリ通信装置。
【請求項２】
相手先装置との間で、ＩＴＵ−Ｔ勧告Ｖ．８に規定される手順を実行し、上記手順に基づいて、上記相手先装置との間で実行可能な画伝送モードを設定するファクシミリ通信方法において、
ＡＮＳａｍ信号を受信するＡＮＳａｍ信号受信段階と；
ＣＭ信号を送信するＣＭ信号送信段階と；
上記ＡＮＳａｍ信号を受信した後に、Ｖ．３４通信を指定するＣＭ信号を送信し、相手受信機から上記Ｖ．３４通信が不可であるＪＭ信号を受信すると、ＣＪ信号を送信し、相手受信機からＶ．２１のＤＩＳ信号を受信したときに、以後、上記Ｖ．２１のプロトコルを実行し、上記ＡＮＳａｍ信号を受信した後に、Ｖ．３４通信を指定するＣＭ信号を送信し、上記相手受信機から、Ｖ．８受信機能有を示す上記Ｖ．２１のＤＩＳ信号を最初に受信したときに、ＣＩ信号を送信し、その後、上記ＡＮＳａｍ信号を受信した後に、Ｖ．３４通信を指定するＣＭ信号を送信し、上記相手受信機から、Ｖ．８受信機能有を示す上記Ｖ．２１のＤＩＳ信号を次回受信したときに、Ｖ．８受信機能有りであっても、ＣＩ信号の送信へ移行しないで、以後、上記Ｖ．２１のプロトコルを実行するする制御段階と；
を有することを特徴とするファクシミリ通信方法。
【発明の詳細な説明】
【０００１】
【発明の属する技術分野】
本発明は、ファクシミリ通信装置、特にＩＴＵ−Ｔ勧告Ｖ．８通信が可能なファクシミリ通信装置およびファクシミリ通信方法に関する。
【０００２】
【従来の技術】
１９９４年、ＩＴＵ−Ｔにおいて、勧告Ｖ．８が成立し、このＶ．８に規定されている手順をファクシミリ装置に適用することが考えられる。
【０００３】
このＶ．８による手順が適用されているファクシミリ装置は、Ｖ．３４に規定される手順、画伝送をサポートするファクシミリ装置が対象とされている。
【０００４】
ここで、その後、Ｖ．８において、Ｖ．１７の記載はあるものの明確に通信が決められていない。
【０００５】
【発明が解決しようとする課題】
しかし、送信機がＶ．３４通信をサポートし、発呼時、受信機からのＡＮＳａｍ信号を受信し、送信機から、Ｖ．３４通信を指定したＣＭ信号を送信した場合、受信機から、Ｖ．１７での通信が指示されたＪＭ信号を受信したときに、その後のＶ．８通信手順が、明確には決まっていない。したがって、Ｖ．８通信を実行した後に、Ｖ．２１信号のＤＩＳ信号で、Ｖ．８受信機能有りに対して、また、ＣＩ信号を送信すると、Ｖ．１７通信が不成立になる可能性があるという問題がある。
【０００６】
本発明は、送信機がＶ．３４通信をサポートし、発呼時に、受信機からのＡＮＳａｍ信号を受信し、送信機から、Ｖ．３４通信を指定したＣＭ信号を送信した場合、受信機から、Ｖ．１７での通信が指示されたＪＭ信号を受信したときに、通信時間を短縮できるファクシミリ通信装置およびファクシミリ通信方法を提供することを目的とするものである。
【０００７】
【課題を解決するための手段】
本発明は、相手先装置との間で、ＩＴＵ−Ｔ勧告Ｖ．８に規定される手順を実行し、上記手順に基づいて、上記相手先装置との間で実行可能な画伝送モードを設定するファクシミリ通信装置において、ＡＮＳａｍ信号を受信するＡＮＳａｍ信号受信手段と、ＣＭ信号を送信するＣＭ信号送信手段と、上記ＡＮＳａｍ信号を受信した後に、Ｖ．３４通信を指定するＣＭ信号を送信し、相手受信機から上記Ｖ．３４通信が不可であるＪＭ信号を受信すると、ＣＪ信号を送信し、相手受信機からＶ．２１のＤＩＳ信号を受信したときに、以後、上記Ｖ．２１のプロトコルを実行し、上記ＡＮＳａｍ信号を受信した後に、Ｖ．３４通信を指定するＣＭ信号を送信し、上記相手受信機から、Ｖ．８受信機能有を示す上記Ｖ．２１のＤＩＳ信号を最初に受信したときに、ＣＩ信号を送信し、その後、上記ＡＮＳａｍ信号を受信した後に、Ｖ．３４通信を指定するＣＭ信号を送信し、上記相手受信機から、Ｖ．８受信機能有を示す上記Ｖ．２１のＤＩＳ信号を次回受信したときに、Ｖ．８受信機能有りであっても、ＣＩ信号の送信へ移行しないで、以後、上記Ｖ．２１のプロトコルを実行する制御手段とを有することを特徴とするファクシミリ通信装置である。
また、本発明は、相手先装置との間で、ＩＴＵ−Ｔ勧告Ｖ．８に規定される手順を実行し、上記手順に基づいて、上記相手先装置との間で実行可能な画伝送モードを設定するファクシミリ通信方法において、ＡＮＳａｍ信号を受信するＡＮＳａｍ信号受信段階と、ＣＭ信号を送信するＣＭ信号送信段階と、上記ＡＮＳａｍ信号を受信した後に、Ｖ．３４通信を指定するＣＭ信号を送信し、相手受信機から上記Ｖ．３４通信が不可であるＪＭ信号を受信すると、ＣＪ信号を送信し、相手受信機からＶ．２１のＤＩＳ信号を受信したときに、以後、上記Ｖ．２１のプロトコルを実行し、上記ＡＮＳａｍ信号を受信した後に、Ｖ．３４通信を指定するＣＭ信号を送信し、上記相手受信機から、Ｖ．８受信機能有を示す上記Ｖ．２１のＤＩＳ信号を最初に受信したときに、ＣＩ信号を送信し、その後、上記ＡＮＳａｍ信号を受信した後に、Ｖ．３４通信を指定するＣＭ信号を送信し、上記相手受信機から、Ｖ．８受信機能有を示す上記Ｖ．２１のＤＩＳ信号を次回受信したときに、Ｖ．８受信機能有りであっても、ＣＩ信号の送信へ移行しないで、以後、上記Ｖ．２１のプロトコルを実行するする制御段階とを有することを特徴とするファクシミリ通信方法である。
【０００８】
【発明の実施の形態および実施例】
まず、ＩＴＵ−Ｔによって勧告化されたＶ．８の手順信号について説明する。
【０００９】
Ｖ．８の手順信号には、起呼メニュー信号（以下、「ＣＭ」という）と、ＣＭ終端子（以下、「ＣＪ」という）と、共通メニュー信号（以下、「ＪＭ」という）とが含まれている。
【００１０】
信号ＣＭは、起呼ＤＣＥから送信される信号であり、この信号ＣＭは、主に起呼ＤＥＣで利用可能な変調方式を表示するために使用される。信号ＣＭは、勧告Ｖ．２１で定義された低域チャンネルＶ．２１（Ｌ）によって変調された３００ｂｉｔ／ｓの反復ビット列で構成されている。
【００１１】
信号ＣＪは、ＪＭを検出した確認とＣＭの終了とを示す信号である。信号ＣＪは、３００ｂｉｔ／ｓのＶ．２１（Ｌ）で変調され、スタートｂｉｔ／ｓとストップｂｉｔ／ｓとを含んだ連続する３つの総て「０」のオクテットで構成されている。
【００１２】
信号ＪＭは、応答ＤＥＣから送信される信号であり、この信号は、主に起呼と応答ＤＥＣとで共通した利用可能な変調方式を示すために使用される。信号ＪＭは、勧告Ｖ．２１で定義された高域チャンネルＶ．２１（Ｈ）によって変調された３００ｂｉｔ／ｓの反復ビット列で構成されている。
【００１３】
次に、ＣＭ、ＣＪ、ＪＭの各信号の符号化フォーマットについて説明する。
【００１４】
図７は、ＩＴＵ−Ｔ勧告Ｖ．８の手順信号に含まれるプリアンブルの構成を示す図である。
【００１５】
信号ＣＭ、ＣＪ、ＪＭには、共通の符号化フォーマットが使用され、各信号ＣＭ、ＣＪ、ＪＭは、繰り返すビットシーケンスで構成されている。１つのシーケンスは、図７に示すように、最初１０個の「１」と、それに続く１０ビットの同期符号と、さらに続く情報とを載せたオクテットによって構成されている。各オクテットのそれぞれには、先行するスタートビット（「０」）と、後続するストップビット（「１」）とが付加されている。
【００１６】
信号ＪＭには、同じＶ．２１（Ｈ）変調を使用している勧告Ｔ．３０との混乱を避けるために、そのビット配置に、ＨＤＬＣフラグ（０１１１１１１０）が決して現れないような、符号制約条件が課せられている。
【００１７】
各オクテットは、ある１つの情報カテゴリに属する。大多数の応用によって信号の簡潔さが守られるならば、特別の応用のために情報カテゴリが拡張されることを、この符号化フォーマットは許容している。
【００１８】
１つのシーケンスにおける最初の情報カテゴリは、起呼機能でなければならない。これに後続する情報カテゴリのなかでは、特に順序は規定されていない。１つのカテゴリにおける総ての情報は、１オクテットまたは、必要であれば、順序が決められた１つのオクテット・シーケンスで伝達される。
【００１９】
次に、カテゴリオクテットについて説明する。
【００２０】
図８は、ＩＴＵ−Ｔ勧告Ｖ．８の手順信号の情報カテゴリを決定するカテゴリオクテットのフォームを示す図である。
【００２１】
カテゴリオクテットは、新たな情報カテゴリの中では、最初に発生されるオクテットであり、このオクテットには、情報カテゴリを決定する４ビットの符号を含んでいる。
【００２２】
このフォーマットは、以下のように構成され、表示されたビットは、左から右の順番で送信される。
【００２３】
スタートビット  （０）  ｂ０  ｂ１  ｂ２  ０  １  ０  ｂ６  ｂ７  ストップビット  （１）
ビットｂ０〜ｂ３は、図８に示すように、ｂ０を最下位ビットとしたカテゴリを形成し、ビットｂ４は、フラグが成立しないように「０」に設定される。また、ｂ５〜ｂ７は、情報カテゴリのオプションビットである。
【００２４】
３つのオプションビットによって、特定のカテゴリを表すのに不足する場合は、カテゴリオクテットの直後に、拡張オクテットをいくつでも続けることができる。
【００２５】
この拡張オクテットのフォーマットは、以下に示すように構成される。
【００２６】
スタートビット  （０）  ｂ０  ｂ１  ｂ２  ０  １  ０  ｂ６  ｂ７  ストップビット  （１）
ビットｂ０〜ｂ２、ｂ６、ｂ７は、そのときのカテゴリに追加される５つのビットである。ビットｂ４は、カテゴリオクテットから拡張オクテットを区別するために、「１」に設定され、ｂ３とｂ５とは、フラグが成立しないように「０」に設定される。
【００２７】
次に、ビットｂ０〜ｂ３で決定される情報カテゴリである起呼機能、変調モード、プロトコル、ＧＳＴＮアクセスについて説明する。
【００２８】
図９は、起呼機能オクテットのビットの使用例を示す図である。
【００２９】
起呼機能オクテットにおける３つのオプションビットは、図９に示すように、特定の起呼機能を指定するために、使用されている。
【００３０】
図１０は、ＩＴＵ−Ｔ勧告Ｖ．８の手順信号で指定する変調モードを示す図である。
【００３１】
ＧＳＴＮで使用可能なＶシリーズ変調モードは、図１０に示すように、３つの符号で指定される。使用可能であるという設定は、表示された起呼機能の中で、その変調モードが使用可能であり、かつ遠隔ＤＣＥに、その能力を伝えたいと望む場合に限られる。
【００３２】
図１１は、ＩＴＵ−Ｔ勧告Ｖ．８における手順信号のプロトコルカテゴリ内部の符号一覧を表す図である。
【００３３】
プロトコルカテゴリ内部の符号一覧は、図１１に表されている。もし、ＬＡＰＭプロトコル符号がＣＭで示され、それを受け取った応答ＤＣＥ側が同じくＬＡＰＭを使用したい場合は、ＪＭでも、ＬＡＰＭを表示するプロトコルオクテットが表示される。
【００３４】
図１２は、ＩＴＵ−Ｔ勧告Ｖ．８の手順信号におけるＧＳＴＮに接続するセルラーアクセスを示す符号を表す図である。
【００３５】
ＧＳＴＮに接続するセルラーアクセスを表示する符号は、図１２に示されている。
【００３６】
次に、Ｖ．３４に規定されるＩＮＦＯ０の情報ビットについて説明する。
【００３７】
図１３は、ＩＴＵ−Ｔ勧告によるＶ．３４のＩＮＦＯ０シーケンスのビット定義を示す図である。
【００３８】
ＩＮＦＯ０は、送信能力を表示するために使用される信号であり、その信号シーケンスのビットは、図１３に示すように、定義されている。
【００３９】
なお、本実施例では、ＩＮＦＯ０ａを被呼側から送出する信号とし、ＩＮＦＯ０ｃを発呼側から送出する信号とする。
【００４０】
次に、本発明の第１の実施例について説明する。
【００４１】
図１は、本発明の第１の実施例であるファクシミリ装置ＦＳ１の構成を示すブロック図である。
【００４２】
ファクシミリ装置ＦＳ１は、電話回線２ａに接続されている網制御装置（以下、ＮＣＵという）２を備えている。ＮＣＵ２は、電話網をデータ通信等に使用するための回線端末へ接続する等の電話交換網の接続制御、データ通信路への切替を行い、電話回線２ａと電話機４との接続、および電話回線２ａとハイブリッド回路６との接続を選択的に切り換える。
【００４３】
ＮＣＵ２と電話機４とは、信号線２ｂで接続され、ＮＣＵ２とハイブリッド回路６とは、信号線２ｃで接続されている。ＮＣＵ２の切換動作は、後述する制御回路２０で制御される。制御回路２０から、信号線２０ａを介して与えられる制御信号が「０」であるときに、電話回線２ａと電話機４とが接続される。これに対し、制御信号が「１」であるときに、電話回線２ａとハイブリッド回路６とが接続される。なお、通常状態では、電話回線２ａと電話機４との接続が選択されている。
【００４４】
ハイブリッド回路６は、電話回線２ａを介して送信される送信系からの送信信号と、電話回線２ａを介して受信される受信系への受信信号とを分離する。
【００４５】
送信系は、ＣＣＤ（電化結合素子）などの撮像素子と光学系から構成される読取回路１４とＡＮＳａｍ送出回路１０とを有する。
【００４６】
読取回路１４は、送信原稿から主走査方向の１ライン分の画像を順次に読取り、この読み取られた画像を示すデータは、信号線１４ａに出力される。
【００４７】
ＡＮＳａｍ送出回路１０は、制御回路２０から信号線２０ｄを介してレベル「１」の信号が与えられるとき、信号線１０ａにＡＮＳａｍ信号を出力する。これに対し、制御回路２０から信号線２０ｄを介してレベル「０」の信号が与えられるとき、信号線１０ａへのＡＮＳａｍ信号の出力は行われない。
【００４８】
読取回路１４から信号線１４ａを介して出力されたデータは制御回路２０に与えられる。制御回路２０は、信号線１４ａを介して取り込まれたデータを符号化処理し、この符号化されたデータは、信号線２０ｂを介して、変復調器８に出力される。
【００４９】
変復調器８は、信号線２０ｂからの符号化されたデータを変調処理し、変調信号を生成するとともに、ハイブリッド回路６から、信号線６ａを介して取り込まれた受信信号を復調処理し、復調データを生成する。この変調処理と復調処理とは、ＩＴＵ−Ｔ勧告Ｖ．８、Ｖ．２１、Ｖ．２７ｔｅｒ、Ｖ．２９、Ｖ．１７、Ｖ．３４に基づいて行われる。変復調器８による変調、復調処理の内容は、制御回路２０から信号線２０ｃを介して与えられる信号によって指示され、この指示された変調、復調処理によって、伝送モードが決定される。
【００５０】
変復調器８で生成された変調信号は、信号線８ａを介して、加算回路１２に与えられる。加算回路１２は、変復調器８からの変調信号と、ＡＮＳａｍ送出回路１０からのＡＮＳａｍ信号とを加算する。この加算された信号は、信号線１２ａを介して、ハイブリッド回路６に出力され、ハイブリッド回路６は、上記加算された信号を送信信号としてＮＣＵ２経由で、電話回線２ａに送出する。
【００５１】
これに対し、受信系では、相手装置からＮＣＵ２経由で受信した信号がハイブリッド回路６から信号線６ａを介して、変復調器８に出力される。変復調器８は、上記のように、信号線６ａを介して取り込まれた受信号を復調処理し、復調データを生成する。変復調器８で生成された復調データは、信号線８ｂを介して、制御回路２０に与えられる。制御回路２０は、復調データを復号化等の処理を施し、復号化されたデータは、信号線２０ｅを介して、記録回路１６に与えられる。
【００５２】
記録回路１６は、復号化されたデータが示す画像を１ライン毎に、順次、記録紙に記録する。
【００５３】
読取回路１４で読み取られたデータ、そのデータを符号化したデータ、受信したデータ、そのデータを復号化したデータは、必要に応じてメモリ回路１８に格納される。
【００５４】
制御回路２０は、相手先装置から情報を受信し、相手先装置へ情報を送信するための伝送制御を行う。
【００５５】
この伝送制御を規定する伝送制御手順には、ＩＴＵ−Ｔ勧告Ｖ．８、Ｖ．２１、Ｖ．２７ｔｅｒ、Ｖ．２９、Ｖ．１７、Ｖ．３４の各手順が用いられている。
【００５６】
具体的には、相手先装置との間でＩＴＵ−Ｔ勧告Ｖ．８に規定される手順を実行し、その手順に基づいて、上記相手先装置との間で実行可能な画伝送モードを設定するファクシミリ通信装置において、ＡＮＳａｍ信号受信手段、ＣＭ信号送信手段を有し、ＡＮＳａｍ信号を受信した後に、Ｖ．３４通信を指定するＣＭ信号を送信し、相手受信機からＶ．３４の通信が不可であるＪＭ信号を受信すると、ＣＪ信号を送信し、相手受信機からＶ．２１のＤＩＳ信号を受信したときに、以後、Ｖ．２１のプロトコルを実行する。
【００５７】
ここで、相手受信機からＶ．２１のＤＩＳ信号を受信したときに、Ｖ．８受信機能有りであっても、ＣＩ信号の送信へ移行しないで、以後、Ｖ．２１のプロトコルを実行する。
【００５８】
一方、ＡＮＳａｍ信号を受信した後に、Ｖ．３４通信を指定するＣＭ信号を送信し、相手受信機からＶ．３４の通信が可能であるＪＭ信号を受信すると、ＣＪ信号を送信し、ここで、相手受信機からＶ．２１のＤＩＳ信号を受信したときに、Ｖ．８受信機能の有無によって、以後のプロトコルを変更する。具体的には、Ｖ．８受信機能が有りであると、ＣＩ信号を送信し、Ｖ．８受信機能が無しであると、Ｖ．２１のプロトコルを実行する。
【００５９】
図２、図３、図４は、図１に示す実施例の制御動作を示すフローチャートである。
【００６０】
ステップＳ２では、信号線２０ａにレベル「０」の信号を出力し、ＣＭＬをオフし、ステップＳ４では、信号線２０ｄにレベル「０」の信号を出力することによって、ＡＮＳａｍ信号を出力しないように設定し、ステップＳ６では、パスＦＬＧに０をセットする。
【００６１】
次いで、ステップＳ８が実行され、ステップＳ８では、発呼が選択されたか否かを判定する。発呼が選択されないと、ステップＳ１０が実行され、発呼が選択されると、ステップＳ１１が実行される。
【００６２】
ステップＳ１０では、その他の処理が実行され、その他の処理を実行した後に、処理は再びステップＳ２に戻る。
【００６３】
ステップＳ１１では、信号線２０ａにレベル「１」の信号を出力し、ＣＭＬをオンし、ステップＳ１２では、発呼回路を使用し、指定された宛先へ発呼し、ステップＳ１３では、ＡＮＳａｍ信号を受信する。
【００６４】
ステップＳ１４では、Ｖ．２１、Ｖ．２７ｔｅｒ、Ｖ．２９半二重、Ｖ．１７、Ｖ．３４半二重通信を指定したＣＭ信号を送信し、ステップＳ１６では、タイマに６秒をセットする。
【００６５】
ステップＳ１８では、Ｖ．２１のＤＩＳ信号を受信したか否かを判断し、Ｖ．２１のＤＩＳ信号を受信したならば、ステップＳ４２に進み、Ｖ．２１のＤＩＳ信号を受信していなければ、ステップＳ２０に進む。
【００６６】
ステップＳ２０では、Ｖ．８のＪＭ信号を受信したか否かを判断し、Ｖ．８のＪＭ信号を受信していれば、ステップＳ２４に進み、Ｖ．８のＪＭ信号を受信していなければ、ステップＳ２２に進む。
【００６７】
ステップＳ２２では、タイマがタイムオーバしたか否かを判断し、タイマがタイムオーバしていれば、ステップＳ２に進み、タイマがタイムオーバしていなければ、ステップＳ１８に進む。
【００６８】
ステップＳ２４では、受信したＪＭ信号に基づいて判断し、Ｖ．３４の半二重通信が可であるか否かを判断し、Ｖ．３４の半二重通信が可能であれば、ステップＳ２６に進み、Ｖ．３４の半二重通信が可能ではなければ、ステップＳ３８に進む。
【００６９】
ステップＳ２６では、Ｖ．３４半二重通信を指定するＣＪ信号を送信し、ステップＳ２８では、Ｖ．２１信号でのＤＩＳ信号を受信したか否かを判断し、Ｖ．２１信号でのＤＩＳ信号を受信していれば、ステップＳ３２に進み、Ｖ．２１信号でのＤＩＳ信号を受信していなければ、ステップＳ３０に進む。
【００７０】
ステップＳ３０では、ＩＮＦＯ０ｃを送信し、以後、Ｖ．３４の手順、画伝送の実行を表している。
【００７１】
ステップＳ３２では、受信したＶ．２１信号のＤＩＳ信号から判断し、Ｖ．８の受信機能があるか否かを判断し、Ｖ．８の受信機能があれば、ステップＳ３４に進み、Ｖ．８の受信機能がなければ、ステップＳ３６に進む。
【００７２】
ステップＳ３４では、Ｖ．８のＣＩ信号を送信し、ステップＳ３６では、Ｖ．２１信号でのＮＳＳ／ＴＳＩ／ＤＣＳ信号を送信し、以後、Ｖ．２１の手順、Ｖ．２７ｔｅｒ、または、Ｖ．２９、または、Ｖ．１７の画伝送を実行し、ステップＳ３８では、Ｖ．１７通信指定のＣＪ信号を送信する。
【００７３】
ステップＳ４０では、３５秒以内に、Ｖ．２１信号でのＮＳＦ／ＣＳＩ／ＤＩＳ信号を受信したか否かを判断し、Ｖ．２１信号でのＮＳＦ／ＣＳＩ／ＤＩＳ信号を受信していれば、ステップＳ３６に進み（ここでは、ＤＩＳ信号に含まれている、Ｖ．８の受信機能の有無に無関係にＳ３６に進むことが重要である）、Ｖ．２１信号でのＮＳＦ／ＣＳＩ／ＤＩＳ信号を受信していなければ、ステップＳ２に進む。
【００７４】
ステップＳ４２では、パスＦＬＧが０であるか否かを判断し、パスＦＬＧが０であれば、ステップＳ４４に進み、パスＦＬＧに１をセットし、パスＦＬＧが０でなければ、ステップＳ３６に進む。
【００７５】
次に、上記伝送制御手順について説明する。
【００７６】
図５は、ファクシミリ装置ＦＳ１に適用される伝送制御手順の一例を示す図である。
【００７７】
図６は、ファクシミリ装置ＦＳ１に適用される伝送制御手順の他の例を示す図である。
【００７８】
まず、被呼端末から受信したＡＮＳａｍ信号に基づくＶ．３４の手順、画伝送の実行までの伝送制御手順について説明する。
【００７９】
図５において、被呼端末から全二重通信を可能にする信号（ＡＮＳａｍ信号であって２１００Ｈｚを１５Ｈｚで変調した信号）が送出される。発呼側からは、Ｖ．８に基づく変調によるＣＭ信号が送出され、このＣＭ信号によって画伝送時に実行可能な伝送モードが被呼端末に通知される。
【００８０】
ＣＭ信号を受信した被呼端末は、ＣＭ信号で指定された伝送モードの中で受信可能な伝送モード（Ｖ．３４）を発呼端末に通知し、この通知にＪＭ信号が用いられる。
【００８１】
ＪＭ信号を受信した発呼端末は、ＣＪ信号を送出することによって、伝送モードを被呼端末に通知する。
【００８２】
ＣＪ信号送出後、すなわちＶ．８手順完了後、５０ｍｓｅｃが経過した後に、発呼端末は、Ｖ．３４手順の実行を開始し、電話回線２ａの状況をチェックするためのラインプルービング信号（先頭にＩＮＦＯ０ｃが付加されている）を送出する。
【００８３】
被呼端末は、発呼端末からのラインプルービング信号に応答した信号（先頭にＩＮＦＯ０ａが付加されている）を送出し、この信号によって以後の送出レベル、振幅レベルの補正、伝送ボーレートを発呼端末に通知する。
【００８４】
発呼端末は、ラインプルービング信号送出後、５０ｍｓｅｃが経過した後に、ロングトレーニング信号を送出し、被呼端末は、このロングトレーニング信号に基づいて、モデムの等化器の調整、タイミング検出等を実施する。
【００８５】
発呼端末は、ロングトレーニング信号送出後、５０ｍｓｅｃが経過した後に、パラメータ交換信号を送出する。被呼端末は、パラメータ交換信号に応答した信号を送出し、この信号によって、以後のリンク補正、ビットレートを発呼端末に通知する。
【００８６】
パラメータ交換信号に応答した後、被呼端末は、ＣＳＩ、ＤＩＳ信号を送出し、発呼端末からのＴＳＩ、ＤＣＳ信号を受信するまで、フラグを送出し、ＴＳＩ、ＤＣＳ信号受信した後に、ＣＦＲ信号を送出する。発呼端末は、ＣＳＩ、ＤＩＳ信号を受信した後、ＴＳＩ、ＤＣＳ信号を送出し、被呼端末からのＣＦＲ信号を受信するまで、フラグを送出する。
【００８７】
発呼端末は、フラグの送出後、５０ｍｓｅｃ経過後に、Ｖ．３４による画伝送を開始し、画信号を送出する。画信号送出終了後、５０ｍｓｅｃ経過後に、Ｖ．３４による手順が実行され、発呼端末からは、ＰＰＳ−ＭＰＳ信号が送出され、被呼端末からのＭＣＦ信号を受信するまで、フラグが送出される。被呼端末は、ＰＰＳ−ＭＰＳ信号受信した後に、ＭＣＦ信号を送出する。
【００８８】
フラグの送出後、５０ｍｓｅｃ経過後に、Ｖ．３４による画伝送が実行され、発呼端末からは、画信号が再び送出される。画信号送出終了後、５０ｍｓｅｃ経過後に、Ｖ．３４による手順が実行され、発呼端末は、ＰＰＳ−ＥＯＰ信号を送出し、ＭＣＦ信号を受信するまで、フラグを送出する。被呼端末は、ＰＰＳ−ＥＯＰ信号を受信した後に、ＭＣＦ信号を送出する。以降、同様の手順が画伝送が終了するまで繰り返される。
【００８９】
次に、被呼端末からのＡＮＳａｍ信号の受信からＶ．２１の手順、Ｖ．１７の画伝送の実行までの伝送制御手順について説明する。
【００９０】
図６において、まず、被呼端末は、ＡＮＳａｍを送信し、発呼端末は、Ｖ．３４通信可能なＣＭ信号を送信する。このときに、受信機は、ＣＭ信号を受信した後に、Ｖ．１７通信可能なＪＭ信号を送信する。発呼端末は、このＪＭ信号の受信に基づいて、Ｖ．１７通信を指定するＣＪ信号を送信する。続いて、被呼端末がＶ．２１のＮＳＦ／ＣＳＩ／ＤＩＳ信号を送信する。発呼端末は、受信したＤＩＳ信号のＶ．８受信機能の有無に無関係に、Ｖ．２１のＴＳＩ／ＤＣＳ信号を送信し、Ｖ．２１手順、Ｖ．２７ｔｅｒ、または、Ｖ．２９、または、Ｖ．１７画伝送を実行する。
【００９１】
図６において、ＪＭ信号でＶ．３４通信が指定されていれば、受信したＶ．２１のＤＩＳ信号で、Ｖ．８受信機能無しであれば、Ｖ．２１のＴＳＩ／ＤＣＳ信号の送信へ移行するが、受信したＶ．２１のＤＩＳ信号で、Ｖ．８受信機能有りであれば、Ｖ．８のＣＩ信号の送信へ移行し、再び、ＡＮＳａｍ信号を受信して、Ｖ．３４通信の実行にトライする。
【００９２】
上記実施例によれば、送信機がＶ．３４通信をサポートし、発呼時に、受信機からのＡＮＳａｍ信号を受信し、送信機から、Ｖ．３４通信を指定したＣＭ信号を送信した場合、Ｖ．１７での通信が指示されたＪＭ信号を、受信機から、受信したときに、Ｖ．８通信を実行後、Ｖ．２１信号のＤＩＳ信号で、Ｖ．８受信機能有りに対して、Ｖ．２１信号のＤＣＳ信号を送信し、確実にＶ．１７通信を実行し、一方、相手受信機からＶ．３４の通信が可能であるＪＭ信号を受信すると、ＣＪ信号を送信し、ここで、相手受信機からＶ．２１のＤＩＳ信号を受信したときに、Ｖ．８受信機能が有りであると、ＣＩ信号を送信し、Ｖ．３４通信を実行できるので、通信時間を短縮できる。
【００９３】
【発明の効果】
本発明によれば、送信機がＶ．３４通信をサポートし、発呼時に、受信機からのＡＮＳａｍ信号を受信し、送信機から、Ｖ．３４通信を指定したＣＭ信号を送信した場合、受信機から、Ｖ．１７での通信が指示されたＪＭ信号を受信したときに、通信時間を短縮できるという効果を奏する。
【図面の簡単な説明】
【図１】本発明の第１の実施例であるファクシミリ装置ＦＳ１の構成を示すブロック図である。
【図２】図１に示す実施例の制御動作を示すフローチャートである。
【図３】図１に示す実施例の制御動作を示すフローチャートである。
【図４】図１に示す実施例の制御動作を示すフローチャートである。
【図５】ファクシミリ装置ＦＳ１に適用される伝送制御手順の一例を示す図である。
【図６】ファクシミリ装置ＦＳ１に適用される伝送制御手順の他の例を示す図である。
【図７】ＩＴＵ−Ｔ勧告Ｖ．８の手順信号に含まれるプリアンブルの構成を示す図である。
【図８】ＩＴＵ−Ｔ勧告Ｖ．８の手順信号の情報カテゴリを決定するカテゴリオクテットのフォームを示す図である。
【図９】起呼機能オクテットのビットの使用例を示す図である。
【図１０】ＩＴＵ−Ｔ勧告Ｖ．８の手順信号で指定する変調モードを示す図である。
【図１１】ＩＴＵ−Ｔ勧告Ｖ．８における手順信号のプロトコルカテゴリ内部の符号一覧を表す図である。
【図１２】ＩＴＵ−Ｔ勧告Ｖ．８の手順信号におけるＧＳＴＮに接続するセルラーアクセスを示す符号を表す図である。
【図１３】ＩＴＵ−Ｔ勧告によるＶ．３４のＩＮＦＯ０シーケンスのビット定義を示す図である。
【符号の説明】
ＦＳ１…ファクシミリ装置、
４…電話機、
１０…ＡＮＳａｍ回路、
１４…読取回路、
１６…記録回路、
１８…メモリ回路、
２０…制御回路。
【図１】
0003673752.tif 000002
【図２】
0003673752.tif 000003
【図３】
0003673752.tif 000004
【図４】
0003673752.tif 000005
【図５】
0003673752.tif 000006
【図６】
0003673752.tif 000007
【図７】
0003673752.tif 000008
【図８】
0003673752.tif 000009
【図９】
0003673752.tif 000010
【図１０】
0003673752.tif 000011
【図１１】
0003673752.tif 000012
【図１２】
0003673752.tif 000013
【図１３】
0003673752.tif 000014